(57)【要約】【課題】映像表示装置において、設置に必要な面積を小さくし、且つ、接続ケーブルを容易に接続可能にする。【解決手段】映像表示装置１の筐体３には、外部から接続ケーブル１００が接続されるコネクタ１５を有するコネクタハウジング１０が回動自在に設けられている。コネクタハウジング１０は、筐体３に背面側及び左側面側に開口を有するように設けられたユニット収納部３ｂの内部に軸支されている。映像表示装置１を壁面近傍に設置する際には、接続ケーブル１００を筐体３の左側方から接続可能となるように、コネクタ１５が左側方を向くようにコネクタハウジング１０を回動させる。接続ケーブル１００が背面側に突出することがなくなり。映像表示装置１をより壁面に近づけて設置可能になる。【選択図】図２
2008293878.tif 000002
【特許請求の範囲】
【請求項１】
筐体と、
前記筐体の正面に配され、画像を表示する表示パネルと、
前記筐体内部に収納され、前記表示パネルの表示を制御する制御部と、
前記筐体表面に露出するように設けられ、前記制御部に信号線を介して接続されており、外部から接続ケーブルが接続可能なコネクタとを備えた映像表示装置において、
前記筐体には、上下左右のいずれか一側面側及び背面側に露出する開口を有する凹形状のユニット収納部が設けられており、
前記コネクタは、前記ユニット収納部の内側部に前記筐体に対し回動可能に軸支されたコネクタハウジングに保持されており、
前記コネクタハウジングを前記筐体に対し回動させ、前記コネクタの露出する向きを前記一側面側又は背面側に変更することができるように構成されていることを特徴とする映像表示装置。
【請求項２】
前記ユニット収納部の内側部には、前記コネクタハウジングを軸支するための軸支孔が設けられており、
前記コネクタハウジングには、前記軸支孔に保持されるように突設され、前記コネクタハウジングの回動軸となる２つの軸部が設けられており、
前記軸部のうち少なくとも一方は、前記コネクタハウジングの内部と連通する貫通孔が設けられており、
前記信号線は、前記貫通孔を通るように配線されていることを特徴とする請求項１記載の映像表示装置。
【請求項３】
前記ユニット収納部の開口は、前記筐体の背面側及び左右一方の側面側に露出するように形成されており、前記コネクタハウジングは、前記コネクタに、前記筐体の背面側又は一方の側面側から前記接続ケーブルを接続可能になるように回動可能に構成されており、
映像表示装置を壁面近傍に設置する際には、前記接続ケーブルを前記一方の側面側から前記コネクタに接続することができるように構成されていることを特徴とする請求項２記載の映像表示装置。
【発明の詳細な説明】
【技術分野】
【０００１】
本発明は、壁面近傍に近づけて設置可能な映像表示装置に関する。
【背景技術】
【０００２】
従来より、液晶パネル等を用いた映像表示装置では、装置の薄型化が進められており、装置の設置に必要な面積が小さくされている。このような映像表示装置は、外部の映像再生装置により再生された画像などを表示させる際には、筐体に設けられたコネクタに外部機器に接続された接続ケーブルを接続して用いられる。
【０００３】
ところで、コネクタが、筐体の背面に背面側から接続ケーブルを接続可能に設けられている場合には、コネクタに接続された接続ケーブルが筐体背面側に突出する。そのため、映像表示装置を壁面近傍などに設置する際には、壁面との間に若干のスペースを設ける必要があり、当該映像表示装置の薄型化によるメリットが損なわれることがある。他方、コネクタが、筐体の側方側から接続ケーブルを接続することができるように、筐体の側面に側方に向けて設けられていたり、筐体の背面に側方に寝かせた姿勢で設けられているような場合がある。この場合、映像表示装置を背面側にスペースがある状態で設置する際にも、側方側から接続ケーブルを接続する必要があり、接続ケーブルを接続する作業を行うことが困難であったり、接続ケーブルの設置を行いにくいことがある。
【０００４】
ここで、例えば特許文献１には、液晶モニタの外周縁にコネクタ挿入口を有する回転ユニットを回転自在に設け、モニタ本体の前面側及び背面側のいずれからも接続ケーブルを装脱可能にした構造が開示されている。しかしながら、この構造では、接続ケーブルを背面側から接続するときに、前面側から見た装置の外観が損なわれてしまう。また、特許文献２には、映像表示装置において、コネクタを設置した外部接続端子パックを筐体背面に回動可能に設けた構造が示されている。しかしながら、この構造では、側方からしか接続ケーブルをコネクタに接続することができないため、背面側の設置スペースに余裕がある場合にも接続ケーブルを側方から接続することを強いられ、不便である。
【０００５】
また、特許文献３には、コネクタが配された端子箱を筐体上部に回動可能に支承した映像表示装置の構造が示されている。しかしながら、特許文献３に示されている構造は、コネクタを接続するときのみに端子箱を回動させて接続ケーブルを接続しやすくするものであり、装置の設置時には、背面側に接続ケーブルが突出してしまい、上述の問題点を解決することができない。特許文献４には、コネクタが配された移動式端子部をレールに沿って移動可能にした映像表示装置が開示されている。しかしながら、この構造は、レールに沿ってコネクタを移動可能にするために部品点数が多く、また、構成が複雑であるため、装置の製造コストが高くなってしまう。
【特許文献１】特開２００３‐７７６０６号公報
【特許文献２】特開２００３‐７６２９６号公報
【特許文献３】実開平３‐３０３６９号公報
【特許文献４】特開２００５‐３１８２４１号公報
【発明の開示】
【発明が解決しようとする課題】
【０００６】
本発明は、上記問題点を鑑みてなされたものであり、設置に必要な面積を小さくすることができ、且つ、接続ケーブルを容易に接続可能にすることができる簡易な構造の映像表示装置を提供することを目的とする。
【課題を解決するための手段】
【０００７】
上記目的を達成するため、請求項１の発明は、筐体と、前記筐体の正面に配され、画像を表示する表示パネルと、前記筐体内部に収納され、前記表示パネルの表示を制御する制御部と、前記筐体表面に露出するように設けられ、前記制御部に信号線を介して接続されており、外部から接続ケーブルが接続可能なコネクタとを備えた映像表示装置において、前記筐体には、上下左右のいずれか一側面側及び背面側に露出する開口を有する凹形状のユニット収納部が設けられており、前記コネクタは、前記ユニット収納部の内側部に前記筐体に対し回動可能に軸支されたコネクタハウジングに保持されており、前記コネクタハウジングを前記筐体に対し回動させ、前記コネクタの露出する向きを前記一側面側又は背面側に変更することができるように構成されているものである。
【０００８】
請求項２の発明は、請求項１の発明において、前記ユニット収納部の内側部には、前記コネクタハウジングを軸支するための軸支孔が設けられており、前記コネクタハウジングには、前記軸支孔に保持されるように突設され、前記コネクタハウジングの回動軸となる２つの軸部が設けられており、前記軸部のうち少なくとも一方は、前記コネクタハウジングの内部と連通する貫通孔が設けられており、前記信号線は、前記貫通孔を通るように配線されているものである。
【０００９】
請求項３の発明は、請求項２の発明において、前記ユニット収納部の開口は、前記筐体の背面側及び左右一方の側面側に露出するように形成されており、前記コネクタハウジングは、前記コネクタに、前記筐体の背面側又は一方の側面側から前記接続ケーブルを接続可能になるように回動可能に構成されており、映像表示装置を壁面近傍に設置する際には、前記接続ケーブルを前記一方の側面側から前記コネクタに接続することができるように構成されているものである。
【発明の効果】
【００１０】
請求項１の発明によれば、映像表示装置の設置場所に応じてコネクタハウジングを回動させ、コネクタの露出する向きを側面側又は背面側に変更することができるので、接続ケーブルを側面側から接続可能にして設置に要する面積の奥行き幅を小さくしたり、接続ケーブルを背面側から接続可能にして接続ケーブルを容易に接続可能にしたりすることができる。コネクタハウジングは、筐体の凹形状のユニット収納部の内側部に軸支される簡易な構成であるので、映像表示装置の製造コストを低くすることができる。また、ユニット収納部の開口は筐体の正面側には露出しないので、映像表示装置の通常使用時に見られる部位の外観を良好にデザインすることができる。
【００１１】
請求項２の発明によれば、信号線は、コネクタハウジングの回動軸となる軸部の内部の貫通孔を通るように配線されているので、コネクタハウジングの回動に伴う信号線の弛みの発生が少なく、また、信号線が部材間に挟まれない。従って、信号線の損傷や断線等が発生しにくく、映像表示装置が故障しにくくなる。
【００１２】
請求項３の発明によれば、映像表示装置を壁面近傍に設置する際に、コネクタハウジングを回動させて、接続ケーブルを左右一方の側面側からコネクタに接続可能にすることができるので、映像表示装置の設置に要する面積の奥行き幅を小さくし、映像表示装置を壁面により近づけて配置することができ、より便利に使用可能になる。
【発明を実施するための最良の形態】
【００１３】
以下、本発明の一実施形態について図面を参照して説明する。図１及び図２は、本実施形態に係る映像表示装置を示す。映像表示装置１は、例えば、いわゆるテレビジョン放送受像機であり、画像を表示する、例えば液晶パネルやプラズマディスプレイパネル等の表示パネル２と、表示パネル２が正面に設置された筐体３と、筐体３の下部左右に設けられ音を発生させるスピーカ４と、筐体３を支持するスタンド５とを備えている。筐体３の表示パネル２の下方には、ユーザにより操作されるリモートコントローラ（図示せず）からの信号を受信するセンサ等で構成される受信部６ａや、映像表示装置１を操作するための操作スイッチ６ｂ等が設けられている。筐体３の内部には、テレビジョン放送を受信するためのチューナ回路や、表示パネル２を駆動し映像を表示させるための駆動回路などで構成される制御部７が収納されている。
【００１４】
図２に示すように、筐体３の背面略中央部には、例えば後述のように映像表示装置１を壁面に掛けて配置する際に壁面ブラケット２０（図５に図示）を取り付けることができる取付部３ａが設けられている。また、筐体３の背面側左側部には、外部機器から映像信号を入力するための入力端子であるコネクタ１５が設けられたコネクタハウジング１０が取り付けられる、ユニット収納部３ｂが形成されている。ユニット収納部３ｂは、図に示すように、筐体３の背面側と左側面側に露出する開口を有しており、上下が長手方向となる直方体形状である凹形状に形成されている。ユニット収納部３ｂの凹形状の上下内側部には、筐体３の内部に貫通する略円形の軸支孔３ｃが形成されている。
【００１５】
図３は、コネクタハウジング１０を示す。コネクタハウジング１０は、図に示すように、ユニット収納部３ｂの凹形状に収まるように、ユニット収納部３ｂよりも僅かに小さい直方体状に形成されている。コネクタハウジング１０の上面、下面には、コネクタハウジング１０の回動軸となる２つの軸部１０ａが、互いに同軸を成すように突設されている。本実施形態において、上方の軸部１０ａには、コネクタハウジング１０の内部に連通する貫通孔１０ｂが設けられている。図に示すように、コネクタハウジング１０の側面の成す角部のうち、筐体３に取り付けられた状態で最もユニット収納部３ｂの内面に近接する角部には、面取り部１０ｄが設けられている。これにより、コネクタハウジング１０が後述のように筐体３に対し回動する際、この角部とユニット収納部３ｂの内面とが干渉しないようにされている。
【００１６】
コネクタハウジング１０には、コネクタ１５として、１つのＳ映像端子コネクタ１５ａと、映像入力用、音声入力用の３つのピンプラグコネクタ１５ｂが設けられている。各コネクタ１５ａ，１５ｂは、それぞれ、図２に示すように、信号線１６を介して制御部７に接続されている。なお、コネクタはこれに限られるものではなく、他種の入出力コネクタであったり、映像用や音声用ではない他の情報通信用コネクタであってもよい。
【００１７】
コネクタハウジング１０は、軸部１０ａが軸支孔３ｃに軸支され、筐体３に対し回動可能に取り付けられている。このとき、図２に示すように、信号線１６は、貫通孔１０ｂを通って各コネクタ１５ａ，１５ｂから筐体３の内部に配線され、制御部７に接続されている。これにより、コネクタハウジング１０が回動されても、信号線１６の弛みの発生が少なく、また、信号線１６が部材間に挟まれず、コネクタ１５と制御部７との接続が確実に維持されるように構成されている。コネクタハウジング１０は、図１に矢印Ｒで示すように、筐体３に対し垂直軸周りに略９０度の範囲で回動可能に、すなわち、コネクタ１５を背面側に向けた状態と、左側面側に向けた状態との間で回動可能になるように構成されている。
【００１８】
以下に、上記のように構成された映像表示装置１の設置例について説明する。図４は、映像表示装置１を柱等の物体Ｐの側方に設置するときの設置例を示す。図に示すように、物体Ｐのすぐ右隣に映像表示装置１を設置する場合、コネクタハウジング１０は、図に示すように、筐体３の背面側にコネクタ１５を向けた状態にされる。これにより、図の矢印で示すように、コネクタ１５に、外部機器に接続された接続ケーブル１００を、筐体３の背面側から接続することができる。すなわち、この場合、接続ケーブル１００が物体Ｐに向けて突出するように配線されないので、映像表示装置１を物体Ｐに近づけて設置することができる。また、筐体３の背面側の空間を広く取ることにより、接続ケーブル１００をコネクタ１５に容易に接続することができる。
【００１９】
次に、図５及び図６に示すように、映像表示装置１を壁面Ｗに掛けて設置する設置例について説明する。この場合、筐体３の背面の取付部３ａには、壁面ブラケット２０が取り付けられ、また、スタンド５が筐体３から取り外され、筐体３の背面のと壁面Ｗとの間にあまり隙間が空かないようにして壁面Ｗに取り付けられる。映像表示装置１を壁面Ｗに掛けて壁掛け設置する際には、コネクタハウジング１０は、上述のような、コネクタ１５に接続ケーブル１００を背面側から接続可能な状態から略９０度回動され、コネクタ１５を左側面側に向けた状態とされる。そして、壁面Ｗに映像表示装置１が取り付けられた状態で、図６の矢印で示すように、コネクタ１５に、筐体３の左側面側から接続ケーブル１００が接続される。すなわち、この場合、上述のように映像表示装置１の背面側に接続ケーブル１００が突出しないため、映像表示装置１がより壁面Ｗに近づいた状態で壁掛けされるように構成することが可能になる。
【００２０】
このように、本実施形態においては、映像表示装置１の設置場所に応じてコネクタハウジング１０を回動させ、コネクタ１５の露出する向きを側面側又は背面側に変更することができるので、映像表示装置１の設置に要する面積の奥行き幅を小さくしたり、接続ケーブル１００を容易に接続可能にしたりすることができる。コネクタハウジング１０がユニット収納部３ｂの内側部に軸支される簡易な構成であるので、映像表示装置１の製造コストを低くすることができる。また、ユニット収納部３ｂの開口は筐体３の正面側には露出しないので、映像表示装置１の通常使用時において、テレビジョン放送の番組等を視聴するユーザからは、ユニット収納部３ｂやコネクタハウジング１０が見えない。従って、上記のようにコネクタハウジング１０を回動可能に設けたとしても、映像表示装置１の外観を良好にデザインすることができる。
【００２１】
なお、本発明は上記実施形態の構成に限定されるものではなく、発明の趣旨を変更しない範囲で適宜に種々の変形が可能である。例えば、筐体の背面側と上下いずれか一方とにコネクタが向くようにコネクタハウジングが回動可能になるように構成されていてもよい。また、信号線は、例えばフラットケーブルのようなものであって、コネクタハウジングの回動軸から離れた部位から、コネクタハウジングの回動分だけ弛みを持たせて筐体の内部に配線されていてもよい。
【図面の簡単な説明】
【００２２】
【図１】本発明の一実施形態に係る映像表示装置の一例を示す斜視図。
【図２】上記装置の背面側を示す斜視図。
【図３】上記装置のコネクタハウジングを示す斜視図。
【図４】上記装置の一設置例を示す斜視図。
【図５】上記装置の壁掛け設置例を示す斜視図。
【図６】上記装置の壁掛け設置例を示す斜視図。
【符号の説明】
【００２３】
１  映像表示装置
２  表示パネル
３  筐体
５  スタンド
７  制御部
１０  コネクタハウジング
１０ａ  軸部
１０ｂ  貫通孔
１５，１５ａ，１５ｂ  コネクタ
１６  信号線
１００  接続ケーブル
Ｗ  壁面
【図１】
2008293878.tif 000003
【図２】
2008293878.tif 000004
【図３】
2008293878.tif 000005
【図４】
2008293878.tif 000006
【図５】
2008293878.tif 000007
【図６】
2008293878.tif 000008